【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
硬質表面クリーナーおよびつや向上剤としての組成物の使用であって、該組成物は、
０．００１〜５０重量％の少なくとも１つの洗浄界面活性剤と；
少なくとも１０重量％の希釈剤であって、水を含む希釈剤と；
０．０１〜４０重量％の粒子であって、アニオン性ポリウレタンポリマーおよびアニオン性ポリウレタンハイブリッドポリマーの少なくとも一方を含み、水性分散液としてのものであり、１７０ｎｍ未満の平均粒径（Ｍａｌｖｅｒｎ  Ｚｅｔａｓｉｚｅｒ  Ｎａｎｏ−Ｓ９０粒径分析計により測定され、Ｚｅｔａｓｉｚｅｒ  Ｓｏｆｔｗａｒｅ  ６．１２およびＮａｎｏＴｒａｋ（商標）粒径分析計によりデータ分析される）を有する粒子と
を含み、
該アニオン性ポリウレタンハイブリッドポリマーが、既製ポリウレタンポリマーの存在下で少なくとも１つのエチレン性不飽和モノマーから調製されたものである、
使用。
【請求項２】
界面活性剤の、前記アニオン性ポリウレタンポリマーおよびアニオン性ポリウレタンハイブリッドポリマーの少なくとも一方に対する比が、少なくとも０．０５：１、または少なくとも０．１：１、または１５０：１まで、または２０：１までである、請求項１に記載の使用。
【請求項３】
前記粒子が、アニオン性ポリウレタンハイブリッドポリマーの粒子を含み、前記アニオン性ポリウレタンハイブリッドポリマーの粒子が、既製ポリウレタンポリマーの存在下で少なくとも１つのエチレン性不飽和モノマーから調製されたものであり、それによって前記アニオン性ポリウレタンハイブリッドポリマーの粒子が、ポリウレタンポリマーの粒子内に維持された、前記少なくとも１つのエチレン性不飽和モノマーから誘導されたポリマーを含む、請求項１に記載の使用。
【請求項４】
前記粒子が、
Ａ．アニオン性ポリウレタンポリマー；および
Ｂ．アニオン性ポリウレタンハイブリッドポリマー
の少なくとも一方を含み；
該アニオン性ポリウレタンポリマーＡが、
（ｉ）１０〜８０重量％の、ポリエステルポリオールおよびポリエーテルポリオールの少なくとも一方であって、４０００ｇ／ｍｏｌまでの数平均分子量を有する前記ポリエステルポリオールおよびポリエーテルポリオールの少なくとも一方と、
（ｉｉ）２〜１０重量％の水分散性向上用モノマーと、
（ｉｉｉ）１０〜８０重量％のポリイソシアネートと、
場合により、
（ｉｖ）ポリエステルポリオールおよびポリエーテルポリオール以外である低分子量ポリオール、
（ｖ）連鎖延長剤、
（ｖｉ）中和剤、および
（ｖｉｉ）非反応性希釈剤
のうちの少なくとも１つと
の反応生成物であり；ならびに
該アニオン性ポリウレタンハイブリッドポリマーＢが、
（１）アニオン性ポリウレタン成分であって、
（ｉ）１０〜８０重量％の、ポリエステルポリオールおよびポリエーテルポリオールの少なくとも一方であって、４０００ｇ／ｍｏｌまでの数平均分子量を有する前記ポリエステルポリオールおよびポリエーテルポリオールの少なくとも一方と、
（ｉｉ）２〜１０重量％の水分散性向上用モノマーと、
（ｉｉｉ）１０〜８０重量％のポリイソシアネートと、
場合により、
（ｉｖ）ポリエステルポリオールおよびポリエーテルポリオール以外である低分子量ポリオール、
（ｖ）連鎖延長剤、
（ｖｉ）中和剤、および
（ｖｉｉ）非反応性希釈剤
のうちの少なくとも１つと
の反応生成物であるアニオン性ポリウレタン成分；および
（２）付加ポリマーであって、
（ｖｉｉｉ）少なくとも１つのエチレン性不飽和モノマーと
（ｉｘ）開始剤と
の反応生成物である付加ポリマー
を含む、請求項１に記載の使用。
【請求項５】
前記水分散性向上用モノマーが、カルボン酸含有ジオール、および少なくとも１つのペンダントポリ（アルキレンオキシド）側鎖を有するポリオールの、少なくとも一方を含む、請求項４に記載の使用。
【請求項６】
前記ポリイソシアネートが、ジシクロヘキシルメタンジイソシアネートを含む、請求項４に記載の使用。
【請求項７】
前記低分子量ポリオールが、３００ｇ／ｍｏｌ未満の分子量を有する、請求項４に記載の使用。
【請求項８】
前記非反応性希釈剤が、ベンジルベンゾエートを含む、請求項４に記載の使用。
【請求項９】
前記中和剤が、第三級アミンを含む、請求項４に記載の使用。
【請求項１０】
前記連鎖延長剤が、ポリアミンを含む、請求項４に記載の使用。
【請求項１１】
前記少なくとも１つのエチレン性不飽和モノマーが、（メタ）アクリレートモノマーおよびビニル芳香族モノマーを含む、請求項４に記載の使用。
【請求項１２】
前記組成物が、前記ハイブリッドポリマーを含み、および前記ポリウレタン成分Ｂ（１）の前記付加ポリマー（Ｂ２）に対する比が、１０，０００：１から１：１、または少なくとも２：１、または少なくとも１０：１、または３０００：１まで、または１０００：１までである、請求項４に記載の使用。
【請求項１３】
前記組成物が、前記ハイブリッドポリマーを含み、および前記重合性エチレン性不飽和モノマーの百分率で表される開始剤の、重量％で表される前記ハイブリッドポリマー中の前記エチレン性不飽和モノマーから誘導された単位の濃度に対する比が、０．０３未満、または０．０２５までである、請求項４に記載の使用。
【請求項１４】
前記粒子が、
１０〜８０重量％、または２０〜６０重量％、の前記ポリエステルポリオールおよびポリエーテルポリオールの少なくとも一方と、
２〜１０重量％のカルボン酸含有ジオールと、
０〜９重量％のポリオールであって、少なくとも１つのペンダントポリ（アルキレンオキシド）側鎖を有するポリオールと、
１０〜８０重量％の前記有機ポリイソシアネートと、
０〜５重量％の前記低分子量ポリオールと、
０〜１０重量％の前記中和剤と、
０〜７重量％の前記連鎖延長用ポリアミンと
の反応生成物である、アニオン性ポリウレタンポリマーまたはアニオン性ポリウレタン成分を含む、請求項４に記載の使用。
【請求項１５】
前記ポリエーテルおよびポリエーテルポリオールの少なくとも一方が、４０重量％または４０重量％より多く使用されるとき、および前記ポリエーテルおよびポリエーテルポリオールの少なくとも一方が、３０００ｇ／ｍｏｌまたは３０００ｇ／ｍｏｌより大きい分子量のものであるとき、１００ｇ／ｍｏｌ未満の分子量のものである、前記低分子量ポリオールおよび前記連鎖延長剤の部分の合計が、０．８重量％未満である、請求項４に記載の使用。
【手続補正２】
【補正対象書類名】明細書
【補正対象項目名】００５５
【補正方法】変更
【補正の内容】
【００５５】
１つの態様において、処理組成物は、上で説明したアニオン性ポリウレタン分散液と、洗浄界面活性剤および消毒剤の少なくとも一方とを含む。１つの態様において、前記消毒剤は、Ｃ１−Ｃ６アルコールを含む。
一実施形態において、例えば、以下の項目が提供される。
（項目１）
硬質表面クリーニング組成物であって、
０．００１〜５０重量％の少なくとも１つの洗浄界面活性剤と；
少なくとも１０重量％の希釈剤であって、水を含む希釈剤と；
０．０１〜４０重量％の粒子であって、アニオン性ポリウレタンポリマーおよびアニオン性ポリウレタンハイブリッドポリマーの少なくとも一方を含み、水性分散液としてのものであり、１７０ｎｍ未満の平均粒径を有する粒子と
を含む、硬質表面クリーニング組成物。
（項目２）
前記ポリマーの前記界面活性剤に対する比が、重量で０．００２：１から３０，０００：１である、項目１に記載の組成物。
（項目３）
界面活性剤の、前記アニオン性ポリウレタンポリマーおよびアニオン性ポリウレタンハイブリッドポリマーの少なくとも一方に対する比が、少なくとも０．０５：１、または少なくとも０．１：１、または１５０：１まで、または２０：１までである、項目１に記載の組成物。
（項目４）
前記粒子が、１５０ｎｍ未満の平均粒径を有する、項目１に記載の組成物。
（項目５）
前記粒子が、アニオン性ポリウレタンハイブリッドポリマーの粒子を含み、前記アニオン性ポリウレタンハイブリッドポリマーの粒子が、既製ポリウレタンポリマーの存在下で少なくとも１つのエチレン性不飽和モノマーから調製されたものであり、それによって前記アニオン性ポリウレタンハイブリッドポリマーの粒子が、ポリウレタンポリマーの粒子内に維持された、前記少なくとも１つのエチレン性不飽和モノマーから誘導されたポリマーを含む、項目１に記載の組成物。
（項目６）
前記粒子が、
Ａ．アニオン性ポリウレタンポリマー；および
Ｂ．アニオン性ポリウレタンハイブリッドポリマー
の少なくとも一方を含み；
該アニオン性ポリウレタンポリマーＡが、
（ｉ）１０〜８０重量％の、ポリエステルポリオールおよびポリエーテルポリオールの少なくとも一方であって、４０００ｇ／ｍｏｌまでの数平均分子量を有する前記ポリエステルポリオールおよびポリエーテルポリオールの少なくとも一方と、
（ｉｉ）２〜１０重量％の水分散性向上用モノマーと、
（ｉｉｉ）１０〜８０重量％のポリイソシアネートと、
場合により、
（ｉｖ）ポリエステルポリオールおよびポリエーテルポリオール以外である低分子量ポリオール、
（ｖ）連鎖延長剤、
（ｖｉ）中和剤、および
（ｖｉｉ）非反応性希釈剤
のうちの少なくとも１つと
の反応生成物であり；ならびに
該アニオン性ポリウレタンハイブリッドポリマーＢが、
（１）アニオン性ポリウレタン成分であって、
（ｉ）１０〜８０重量％の、ポリエステルポリオールおよびポリエーテルポリオールの少なくとも一方であって、４０００ｇ／ｍｏｌまでの数平均分子量を有する前記ポリエステルポリオールおよびポリエーテルポリオールの少なくとも一方と、
（ｉｉ）２〜１０重量％の水分散性向上用モノマーと、
（ｉｉｉ）１０〜８０重量％のポリイソシアネートと、
場合により、
（ｉｖ）ポリエステルポリオールおよびポリエーテルポリオール以外である低分子量ポリオール、
（ｖ）連鎖延長剤、
（ｖｉ）中和剤、および
（ｖｉｉ）非反応性希釈剤
のうちの少なくとも１つと
の反応生成物であるアニオン性ポリウレタン成分；および
（２）付加ポリマーであって、
（ｖｉｉｉ）少なくとも１つのエチレン性不飽和モノマーと
（ｉｘ）開始剤と
の反応生成物である付加ポリマー
を含む、項目１に記載の組成物。
（項目７）
前記ポリエステルポリオールおよびポリエーテルポリオールの少なくとも一方が、少なくとも２００ｇ／ｍｏｌの分子量を有する、項目６に記載の組成物。
（項目８）
前記ポリエステルポリオールおよびポリエーテルポリオールの少なくとも一方が、少なくとも５００ｇ／ｍｏｌの分子量を有する、項目６に記載の組成物。
（項目９）
前記ポリエステルポリオールおよびポリエーテルポリオールの少なくとも一方が、３０００ｇ／ｍｏｌまでの分子量を有する、項目６に記載の組成物。
（項目１０）
前記ポリエステルポリオールおよびポリエーテルポリオールの少なくとも一方が、１５００ｇ／ｍｏｌまでの分子量を有する、項目６に記載の組成物。
（項目１１）
前記ポリエステルポリオールが、１，６−ヘキサンジオール、ネオペンチルグリコール、およびアジピン酸から誘導される、項目６に記載の組成物。
（項目１２）
前記水分散性向上用モノマーが、カルボン酸含有ジオール、および少なくとも１つのペンダントポリ（アルキレンオキシド）側鎖を有するポリオールの、少なくとも一方を含む、項目６に記載の組成物。
（項目１３）
前記水分散性向上用モノマーが、カルボン酸含有ジオールを含む、項目１２に記載の組成物。
（項目１４）
前記カルボン酸含有ジオールが、ジヒドロキシ−カルボン酸を含む、項目１３に記載の組成物。
（項目１５）
前記中和剤が、前記カルボン酸含有ジオールから誘導されたポリウレタンポリマーの単位を少なくとも部分的に中和するのに十分な量で存在する、項目１３に記載の組成物。
（項目１６）
前記カルボン酸含有ジオールが、２，２−ビス（メチロール）プロピオン酸を含む、項目１３に記載の組成物。
（項目１７）
前記カルボン酸含有ジオールが、成分（ｉ）から（ｖｉ）の総重量の１０重量％までを構成する、項目１３に記載の組成物。
（項目１８）
前記水分散性向上用モノマーが、２００ｇ／ｍｏｌまでの分子量を有する、項目６に記載の組成物。
（項目１９）
前記ポリイソシアネートが、ジシクロヘキシルメタンジイソシアネートを含む、項目６に記載の組成物。
（項目２０）
前記低分子量ポリオールが、３００ｇ／ｍｏｌ未満の分子量を有する、項目６に記載の組成物。
（項目２１）
前記低分子量ポリオールが、１，４−ブタンジオールを含む、項目６に記載の組成物。
（項目２２）
前記非反応性希釈剤が、ベンジルベンゾエートを含む、項目６に記載の組成物。
（項目２３）
前記中和剤が、第三級アミンを含む、項目６に記載の組成物。
（項目２４）
前記連鎖延長剤が、ポリアミンを含む、項目６に記載の組成物。
（項目２５）
前記少なくとも１つのエチレン性不飽和モノマーが、（メタ）アクリレートモノマーおよびビニル芳香族モノマーを含む、項目６に記載の組成物。
（項目２６）
前記（メタ）アクリレートモノマーが、Ｃ１−Ｃ５アルキルアクリレートを含む、項目２５に記載の組成物。
（項目２７）
前記Ｃ１−Ｃ５アルキルアクリレートが、メチルメタクリレートを含み、および前記メチルメタクリレートから誘導された前記ポリウレタンハイブリッドポリマーの単位が、前記ハイブリッドポリウレタンポリマーの３２重量％以下を構成する、項目２６に記載の組成物。
（項目２８）
前記Ｃ１−Ｃ５アルキルアクリレートが、ｎ−ブチルアクリレートを含む、項目２６に記載の組成物。
（項目２９）
前記ビニル芳香族モノマーが、スチレンを含む、項目２５に記載の組成物。
（項目３０）
前記組成物が、前記ハイブリッドポリマーを含み、および前記ポリウレタン成分Ｂ（１）の前記付加ポリマー（Ｂ２）に対する比が、１０，０００：１から１：１、または少なくとも２：１、または少なくとも１０：１、または３０００：１まで、または１０００：１までである、項目６に記載の組成物。
（項目３１）
前記組成物が、前記ハイブリッドポリマーを含み、および前記重合性エチレン性不飽和モノマーの百分率で表される開始剤の重量％で表される前記ハイブリッドポリマー中の前記エチレン性不飽和モノマーから誘導された単位の濃度に対する比が、０．０３未満、または０．０２５までである、項目６に記載の組成物。
（項目３２）
前記少なくとも１つのエチレン性不飽和モノマーが、少なくとも前記ポリエステルポリオールおよび前記ポリエーテルポリオールの少なくとも一方と前記水分散性向上用モノマーと前記ポリイソシアネートとの反応生成物であるアニオン性ポリウレタンポリマーの存在下で重合される、項目６に記載の組成物。
（項目３３）
前記粒子が、
１０〜８０重量％、または２０〜６０重量％、の前記ポリエステルポリオールおよびポリエーテルポリオールの少なくとも一方と、
２〜１０重量％のカルボン酸含有ジオールと、
０〜９重量％のポリオールであって、少なくとも１つのペンダントポリ（アルキレンオキシド）側鎖を有するポリオールと、
１０〜８０重量％の前記有機ポリイソシアネートと、
０〜５重量％の前記低分子量ポリオールと、
０〜１０重量％の前記中和剤と、
０〜７重量％の前記連鎖延長用ポリアミンと
の反応生成物である、アニオン性ポリウレタンポリマーまたはアニオン性ポリウレタン成分を含む、項目６に記載の組成物。
（項目３４）
前記ポリエーテルおよびポリエーテルポリオールの少なくとも一方が、４０重量％または４０重量％より多く使用されるとき、および前記ポリエーテルおよびポリエーテルポリオールの少なくとも一方が、３０００ｇ／ｍｏｌまたは３０００ｇ／ｍｏｌより大きい分子量のものであるとき、１００ｇ／ｍｏｌ未満の分子量のものである前記低分子量ポリオールおよび前記連鎖延長剤の部分の合計が、０．８重量％未満である、項目６に記載の組成物。
（項目３５）
（全組成物の重量に基づき）少なくとも１３重量％ポリウレタンまたはポリウレタンハイブリッドポリマー固形分含有量を有する項目１〜３４のいずれかに記載の組成物を硬質表面に塗布して、５０．８μｍまでの厚さと６０°の角度で少なくとも２０単位のΔ光沢とを有する乾燥フィルムを生じさせることを含む方法。
（項目３６）
（全組成物の重量に基づき）少なくとも２８重量％ポリウレタンまたはポリウレタンハイブリッドポリマー固形分含有量を有する項目１〜３４のいずれかに記載の組成物を硬質表面に塗布して、２５．４μｍまでの厚さと６０°の角度で少なくとも６０光沢単位のＬｅｎｅｔａ光沢とを有する乾燥フィルムを生じさせることを含む方法。
（項目３７）
処理組成物の形成方法であって、
アニオン性ポリウレタンポリマーおよびアニオン性ポリウレタンハイブリッドポリマーの少なくとも一方の水中分散液を形成する工程であって、前記ポリマーが、１７０ｎｍ未満の平均粒径を有する粒子の形態である工程；および
前記分散液を少なくとも１つの洗浄界面活性剤、場合により１つまたは１つより多くの配合補助剤、および場合により１つまたは１つより多くの有機希釈剤と併せて、０．００１〜５０重量％の前記少なくとも１つの洗浄界面活性剤と１０〜８０重量％の前記アニオン性ポリウレタンポリマーおよび前記アニオン性ポリウレタンハイブリッドポリマーの少なくとも一方とを含む処理組成物を形成する工程
を含む、方法。
（項目３８）
前記分散液の形成工程が、
（ｉ）１０〜８０重量％の、ポリエーテルおよびポリエステルポリオールの少なくとも一方と、
（ｉｉ）２．０〜１０．０重量％の、２００ｇ／ｍｏｌまでの分子量のカルボン酸含有ジオールと、
（ｉｉｉ）１０．０〜８０．０重量％の有機ポリイソシアネートと、
（ｉｖ）０．０〜１０．０重量％の、３００ｇ／ｍｏｌまでの分子量を有する低分子量ポリオールと、
（ｖ）０．０〜８．０重量％のポリオールであって、ペンダントポリ（アルキレンオキシド）側鎖を有するポリオールと、
（ｖｉ）０．０〜３．０重量％の分岐剤であって、三官能性ポリオールを含む分岐剤と、
（ｖｉｉ）０．０〜７．０重量％の、２００ｇ  ｍｏｌ未満の分子量の連鎖延長用ポリアミンと
を反応させることを含む、ポリウレタン粒子を形成する段階；
場合により、前記ポリウレタン粒子内で、
（ｖｉｉｉ）３０．０〜９０重量％の少なくとも１つの（メタ）アクリル酸Ｃ１−Ｃ２２アルキルエステルと、
（ｉｘ）１０．０〜７０．０重量％の少なくとも１つのビニル芳香族炭化水素モノマーと、
（ｘ）０．０１〜３．０重量％の開始剤であって、フリーラジカル重合を開始させるために使用される開始剤と
の反応生成物であるフリーラジカル重合アクリル系／ビニル芳香族ポリマーを形成することによって、固体ポリウレタン−アクリル系／ビニル芳香族ハイブリッドを形成する段階を含む、項目３７に記載の方法。
（項目３９）
（ｖｉｉｉ）が、メタクリル酸のＣ１−Ｃ２２アルキルエステルを含むとき、前記固体ポリウレタン−アクリル系／スチレン系ハイブリッド中の前記メタクリル酸のＣ１−Ｃ２２アルキルエステルの全含有量が、３２．０％までである、項目３８に記載の方法。
（項目４０）
前記フリーラジカル重合アクリル系／ビニル芳香族ポリマーの前記ポリウレタンポリマーに対する重量比が、少なくとも０．００１：１である、項目３８に記載の方法。
（項目４１）
前記フリーラジカル重合アクリル系／ビニル芳香族ポリマーの前記ポリウレタンポリマーに対する重量比が、１：１までである、項目３８に記載の方法。
（項目４２）
前記処理組成物が、５〜１５重量％ポリマー固形分を含む、項目３８に記載の方法。
（項目４３）
前記組成物が、前記ハイブリッドポリマーを含み、および前記重合性エチレン性不飽和モノマーの百分率で表される前記開始剤の、重量％で表される前記ハイブリッドポリマー中のエチレン性不飽和モノマーから誘導された単位の濃度に対する比が、０．０３未満である、項目３８に記載の方法。
（項目４４）
項目３７〜４３のいずれか一項に記載の方法によって形成された処理組成物を硬質表面に塗布する工程を含む方法であって、水性分散液が１３重量％ポリマー固形分を含有しているときに前記表面に形成される約５０．８μｍ未満の乾燥被膜が、６０度の角度で測定して少なくとも２６単位のΔ光沢を有するか、またはＬｅｎｅｔａカード（フォームＮ２Ｃ−３）の表面に形成される約２５．４μｍ未満の乾燥フィルムが、少なくとも６０光沢単位のＬｅｎｅｔａ光沢を有する、方法。
（項目４５）
アニオン性水性ポリウレタン分散液であって、
（Ａ）１０．０〜８０．０重量％のポリマーであって、
（ｉ）１０．０〜８０．０重量％の、２００から４０００ｇ／ｍｏｌの分子量を有する、ポリエステルもしくはポリエーテルポリオールまたはそれらの組み合わせと、
（ｉｉ）０．０〜９．０重量％のポリオールであって、ペンダントポリ（アルキレンオキシド）側鎖を有するポリオールと、
（ｉｉｉ）２．０〜１０．０重量％のカルボン酸含有ジオールと、
（ｉｖ）０．０〜３．０重量％の、２００ｇ／ｍｏｌ未満の分子量を有するポリオールと、
（ｖ）１０．０〜８０．０重量％の有機ポリイソシアネートと、
（ｖｉ）０．０〜７．０重量％の、２００ｇ  ｍｏｌ未満の分子量の連鎖延長用ポリアミンと
の反応生成物であるポリマー；
（Ｂ）０．０１〜１０．０重量％の非反応性希釈剤；および
（Ｃ）１０．０〜８０．０重量％の水
を含み；ならびに
前記ポリマー粒子の平均粒径が１７０ｎｍ未満である、アニオン性水性ポリウレタン分散液。
（項目４６）
（Ａ）２０．０〜５５．０重量％のポリマーであって、
（ｉ）２０．０〜６０．０重量％の、ポリエステルまたはポリエーテルポリオールであって、前記ポリエステルポリオールが、１，６−ヘキサンジオール、ネオペンチルグリコールおよびアジピン酸から誘導され、かつ２００から３０００ｇ／ｍｏｌの分子量を有し、および前記ポリエーテルポリオールが、ポリプロピレングリコールまたはポリテトラメチレングリコールであり、かつ２００から３０００ｇ／ｍｏｌの分子量を有する、前記ポリエステルまたはポリエーテルポリオールと、
（ｉｉ）０．０〜６．０重量％のポリオールであって、ペンダントポリ（アルキレンオキシド）側鎖を有するポリオールと、
（ｉｉｉ）２．０〜６．０重量％のカルボン酸含有ジオールであって、２，２−ビス（メチロール）プロピオン酸を含み、前記酸が少なくとも部分的に中和されているものであるカルボン酸含有ジオールと、
（ｉｖ）０．１〜０．５重量％の、２００ｇ／ｍｏｌ未満の分子量を有するポリオールであって、１，４−ブタンジオールを含むポリオールと、
（ｖ）２０．０〜６０．０重量％のポリイソシアネートであって、ジシクロヘキシルメタンジイソシアネートを含むポリイソシアネートと、
（ｖｉ）２．０〜６．０重量％の連鎖延長用ポリアミンであって、場合によりエチレンジアミンを含むポリアミンと
の反応生成物であるポリマー；
（Ｂ）２．０〜８．０重量％の非反応性希釈剤成分であって、ベンジルベンゾエートを含む非反応性希釈剤成分；および
（Ｃ）５０．０〜７５．０重量％の水
を含む、項目４５に記載のアニオン性ポリウレタン分散液。
（項目４７）
（Ａ）２５．０〜４０．０重量％のポリマーであって、
（ｉ）４０〜５０重量％のポリエステルポリオールであって、１，６−ヘキサンジオール、ネオペンチルグリコールおよびアジピン酸から誘導され、かつ５００から１５００ｇ／ｍｏｌの分子量を有するポリエステルポリオールと、
（ｉｉ）０．０〜４．０重量％のポリオールであって、ペンダントポリ（アルキレンオキシド）側鎖を有するポリオールと、
（ｉｉｉ）３．０〜６．０重量％の２，２−ビス（メチロール）プロピオン酸であって、第三級アミンで少なくとも部分的に中和されており、および前記第三級アミンが場合によりトリエチルアミンである、２，２−ビス（メチロール）プロピオン酸と、
（ｉｖ）０．０〜０．４０重量％の１，４−ブタンジオールと、
（ｖ）３５．０〜５０．０重量％のジシクロヘキシルメタンジイソシアネートと、
（ｖｉ）２．５〜５．０重量％のエチレンジアミンと
の反応生成物である前記ポリマー；
（Ｂ）２．０〜６．０重量％のベンジルベンゾエート；および
（Ｃ）６０．０〜７０．０重量％の水
を含む、項目４５に記載のアニオン性ポリウレタン分散液。
（項目４８）
項目４５〜４７のいずれか一項に記載のアニオン性ポリウレタン分散液と、洗浄界面活性剤および消毒剤の少なくとも一方とを含む、処理組成物。
（項目４９）
前記消毒剤を含み、前記消毒剤がＣ１−Ｃ６アルコールを含む、項目４８に記載の処理組成物。